(57)【要約】【課題】従来の構成では、部品点数が多くコストの上昇を招く為、結果としてより多くのお客様に提供しうるものになっていなかった。また、構成が複雑になる分故障発生頻度が上昇するものとなっていた。【解決手段】入水口と出水口を有する本体内に設けられた加熱部と、入水口に接続された入水管と、出水口に接続された出水管とを有し、入水管から入水口を経由して加熱部へ接続されて、加熱部で加熱された湯を出水口を経由して出水管へ導く湯水供給装置において、入水管の入水を検出する流量検出器と、流量検出器の信号を受けて加熱部を制御する制御部と、本体に通電していることを表示する通電表示部とを有し、流量検出器が所定流量の入水を検出したとき通電表示部を点灯させるものである。【選択図】図１
2007003059.tif 000002
【特許請求の範囲】
【請求項１】
入水口と出水口を有する本体内に設けられた加熱部と、前記入水口に接続された入水管と、前記出水口に接続された出水管とを有し、前記入水管から入水口を経由して加熱部へ接続されて、前記加熱部で加熱された湯を前記出水口を経由して出水管へ導く湯水供給装置であって、前記入水管の入水を検出する流量検出器と、前記流量検出器の信号を受けて加熱部を制御する制御部と、本体に通電していることを表示する通電表示部とを有し、前記流量検出器が所定流量の入水を検出したとき前記通電表示部を点灯させる湯水供給装置。
【請求項２】
漏電等の異常時に動作することで安全を確保するための漏電スイッチを備えた請求項１記載の湯水供給装置。
【発明の詳細な説明】
【技術分野】
【０００１】
本発明は、湯水供給装置に関するものである。
【背景技術】
【０００２】
従来、この種の湯水供給装置は、止水弁部に連動する通電スイッチを介して通電表示部を点灯することができるものである。
【０００３】
まず、図４は外観を示したもので、１は入水管、２は流量調整弁、３は出水スイッチ、４は容量調節つまみ、５は出水管、６はシャワーホース、７はシャワーヘッド、８は加熱部、９は通電表示部を示し、入水管１から本体内に通水され加熱部８で加熱され、シャワーホース６を介して、シャワーヘッド７から出水する構成としてある。
【０００４】
図５は同湯水供給装置の内部構造図で、１０は入水口、１１は止水弁、１２は流量検出器、１３はタンク、１４は加熱ヒータ、１５は出水口、１６は通電スイッチ、１７はスイッチ駆動カム、１８は連動継ぎ手、１９は制御部である。
【０００５】
上記構成において、その動作を簡単に説明すると、まず出水スイッチ３を押し込み、スイッチ駆動カム１７が所定の位置に達すると一旦停止状態になり、このスイッチ駆動カム１７に連動する連動継ぎ手１８も所定の位置で一旦停止となる。この時止水弁１１も連動継ぎ手１８と連接しているため、開状態で一旦停止となり、入水管１から所定の給水圧で流入された水は、流量調節弁２、止水弁１１を経てタンク１３に供給される。このとき流量検出器１２は所定の流量を検出し制御部１９に信号を送る。そしてタンク１３に供給された水は、流量検出器１２が所定の流量を検出しているためタンク１３に内蔵された加熱ヒータ１４により加熱され、加熱された水は出水管５に接続されたシャワーホース６を通ってシャワーヘッド７より吐出される。それと同時にスイッチ駆動カム１７に連動して通電スイッチ１６が接続状態となり、通電表示部９が点灯する。また、このときの湯温調節は、容量調節つまみ４を好みの温度に設定することで、容量調節ボリュウム（図示せず）、制御部１９によって加熱ヒータ１４を制御し、所望する温度に調節することができ、さらに流量調節弁２を調節することで好みの流量に調節することができる。
【０００６】
このように、容量調節つまみ４及び流量調節弁２を予め設定しておけば、出水スイッチ３を開操作することで所望する温度のお湯をシャワーヘッド７から吐出することができる。
【０００７】
そして、再度出水スイッチ３を押し込みスイッチ駆動カム１７が所定の位置に達すると一旦停止状態になり、このスイッチ駆動カム１７に連動する連動継ぎ手１８も所定の位置で一旦停止となる。この時止水弁１１も連動継ぎ手１８と連接しているため、今度は閉状態で一旦停止となり、入水管１から所定の給水圧で流入された水は停止状態となり、流量検出器１２が所定の流量を検出しなくなるため加熱ヒータ１４の加熱も停止する。それと同時にスイッチ駆動カム１７が元の位置に戻り、スイッチ駆動カム１７に連動して通電スイッチ１６が開放状態となり、通電表示部９が消灯する。
【特許文献１】特開２００２−３４９９６２号公報
【特許文献２】特開２００２−３３３２１０号公報
【発明の開示】
【発明が解決しようとする課題】
【０００８】
しかしながら、上記従来の構成では、部品点数が多くコストの上昇を招く為、結果とし
てより多くのお客様に提供しうるものになっていなかった。また、構成が複雑になる分故障発生頻度が上昇するものとなっていた。
【課題を解決するための手段】
【０００９】
前記従来の課題を解決するために、本発明の湯水供給装置は、入水口と出水口を有する本体内に設けられた加熱部と、入水口に接続された入水管と、出水口に接続された出水管とを有し、入水管から入水口を経由して加熱部へ接続されて、加熱部で加熱された湯を出水口を経由して出水管へ導く湯水供給装置であって、入水管の入水を検出する流量検出器と、流量検出器の信号を受けて加熱部を制御する制御部と、本体に通電していることを表示する通電表示部とを有し、流量検出器が所定流量の入水を検出したとき通電表示部を点灯させるものである。
【００１０】
これにより、従来より部品点数を削減しても所定流量の入水を検出したときに通電表示部を点灯させることができ、お客様が本体を使用される毎に本体への通電が行われているか否かや、異常の有無を確認できる。
【発明の効果】
【００１１】
本発明の湯水供給装置は、従来より部品点数を削減して構成されているため、より安価に購入ができ、その結果、より多くのお客様に提供することができる。
【発明を実施するための最良の形態】
【００１２】
第１の発明は、入水口と出水口を有する本体内に設けられた加熱部と、入水口に接続された入水管と、出水口に接続された出水管とを有し、入水管から入水口を経由して加熱部へ接続されて、加熱部で加熱された湯を出水口を経由して出水管へ導く湯水供給装置であって、入水管の入水を検出する流量検出器と、流量検出器の信号を受けて加熱部を制御する制御部と、本体に通電していることを表示する通電表示部とを有し、流量検出器が所定流量の入水を検出したとき通電表示部を点灯させるものである。
【００１３】
これによって、従来より部品点数を削減しても、所定流量の入水を検出したときに通電表示部を点灯させることができ、お客様が本体を使用される毎に本体への通電が行われているか否かや、異常の有無を確認できる。
【００１４】
第２の発明は、特に、第１の発明において、漏電等の異常時に動作することで安全を確保するための漏電スイッチを備えた湯水供給装置である。
【００１５】
これによって、お客様が本体を使用される毎に漏電スイッチへの通電が確認でき、かつ、漏電スイッチが正常であることが確認できる。
【００１６】
以下、本発明の実施の形態について、図面を参照しながら説明する。なお、この実施の形態によって本発明が限定されるものではない。
【００１７】
（実施の形態１）
図１及び図２は、本発明の第１の実施の形態における湯水供給装置の図を示すものである。
【００１８】
まず、図１は外観を示したもので、２０は入水管、２１は止水兼流量調整弁、２２は止水栓兼流量調節つまみ、２３は容量調節つまみ、２４は出水管、２５はシャワーホース、２６はシャワーヘッド、２７は加熱部、２８は通電表示部を示し、入水管２０から本体内に通水され加熱部２７で加熱され、シャワーホース２５を介して、シャワーヘッド２６から出水する構成としてある。
【００１９】
図２は同湯水供給装置の内部構造図で、２９は流量検出器、３０はタンク、３１は加熱ヒータ、３２は入水口、３３は出水口、３４は制御部である。
【００２０】
図３は同湯水供給装置の制御フロー図である。上記構成において、その動作を簡単に説明すると、まず止水栓兼流量調節つまみ２１を開放すると、入水管２０から所定の給水圧で流入された水は、止水兼流量調節弁２１を経てタンク３０に供給される。このとき流量検出器２９は所定の流量を検出し制御部３４に信号を送る。そしてタンク３０に供給された水は、流量検出器２９が所定の流量を検出しているためタンク３０に内蔵された加熱ヒータ３１により加熱され、加熱された水は出水管２４に接続されたシャワーホース２５を通ってシャワーヘッド２６より吐出される。それと同時に流量検出器２９の信号が制御部３４を介して通電表示部２８に送られることで、通電表示部２８が点灯する。また、このときの湯温調節は、容量調節つまみ２３を好みの温度に設定することで、容量調節ボリュウム（図示せず）、制御部３４によって加熱ヒータ３１を制御し、所望する温度に調節することができ、さらに止水兼流量調節弁２１を調節することで好みの流量に調節することができる。
【００２１】
このように、容量調節つまみ２３及び止水兼流量調節弁２１を設定すれば、所望する温度のお湯をシャワーヘッド２６から吐出することができる。
【００２２】
そして、再度止水栓兼流量調節つまみ２２を閉止すると、入水管２０から所定の給水圧で流入された水は停止状態となり、流量検出器２９が所定の流量を検出しなくなるため加熱ヒータ３１の加熱も停止する。それと同時に流量検出器２９の信号が通電表示部２８へ送られなくなるため、通電表示部２８が消灯する。
【００２３】
これをさらに図３により補足説明すると、まず、湯水供給装置本体に電源が供給され、引き続き流量検出器２９が所定流量以上を検出した場合に通電表示部２８が点灯する。そして、流量検出器２９が所定流量を検出しない時は、通電表示部２８が消灯する。
【００２４】
これにより、従来の湯水供給装置より部品点数を削減しても所定入水を検出したときに通電表示部を点灯させることができ、お客様が本体を使用される毎に本体への通電が行われているか否かや、異常の有無を確認できる。
【００２５】
また、湯水供給装置内部の供給電源線接続部に漏電スイッチを配置した場合、漏電等の異常時に動作することで、安全を確保できる。
【産業上の利用可能性】
【００２６】
以上のように、本発明にかかる湯水供給装置は、シャワー等を用いて給湯する簡易的な湯水供給装置に利用可能である。
【図面の簡単な説明】
【００２７】
【図１】第１の実施の形態における湯水供給装置の外観図
【図２】第１の実施の形態における湯水供給装置の内部構造図
【図３】第１の実施の形態における湯水供給装置の制御フロー図
【図４】従来の湯水供給装置の外観図
【図５】従来の湯水供給装置の内部構造図
【符号の説明】
【００２８】
２０  入水管
２４  出水管
２７  加熱部
２８  通電表示部
２９  流量検出器
３２  入水口
３３  出水口
３４  制御部
【図１】
2007003059.tif 000003
【図２】
2007003059.tif 000004
【図３】
2007003059.tif 000005
【図４】
2007003059.tif 000006
【図５】
2007003059.tif 000007